(57)【要約】【課題】ジャム処理後に自動パージ対象用紙に対して誤操作が行われた場合でも、自動パージ制御を行う。【解決手段】制御部は、後処理装置５００にある用紙Ｐ２でジャムが発生した場合、ジャムに起因する用紙Ｐ２の停止位置を操作表示部４１０の画面上に表示させる。また、各装置の搬送経路で停止している他の用紙Ｐ３〜Ｐ９を自動パージ制御を実施できる位置まで搬送する。制御部は、ユーザーにより、用紙Ｐ２のジャム処理が実施されると共に、誤操作によりジャム起因紙以外の用紙Ｐ７も除去されると、用紙Ｐ７の周辺にある用紙Ｐ８を自動パージ制御に影響を与える用紙であると判断し、自動パージ制御の対象外とした用紙Ｐ８の停止位置を操作表示部４１０の画面上に表示させる。操作表示部４１０の画面に応じて大容量給紙装置３００から用紙Ｐ８が除去されると、自動パージ制御を実施し、用紙Ｐ３〜Ｐ６，Ｐ９をサブ排紙トレイ５２０上に排紙する。【選択図】図３
2018150104.tif 000002
【特許請求の範囲】
【請求項１】
用紙に画像を形成する画像形成システムであって、
搬送経路を有し、用紙を当該搬送経路に沿って搬送する搬送部と、
前記搬送経路において用紙のジャムの発生の有無を検出する検出部と、
前記検出部により用紙のジャムの発生が検出された場合、用紙の搬送を一時的に停止し、ジャムの発生に起因する用紙が取り除かれた後、前記搬送経路に残留する用紙を外部へ排出する自動パージ制御を実施する制御部と、を備え、
前記制御部は、自動パージ制御が実施される前に、当該自動パージ制御に影響を与える用紙があると判断した場合、当該用紙をユーザーに報知する、画像形成システム。
【請求項２】
前記制御部は、自動パージ制御に影響を与える前記用紙が前記搬送経路から除去された後、自動パージ制御を実施する、
請求項１に記載の画像形成システム。
【請求項３】
前記制御部は、ジャムに起因する用紙とは異なる用紙が前記搬送経路から取り除かれた場合、前記用紙と同一の駆動部の駆動により搬送される用紙を自動パージ制御に影響を与える用紙であると判断する、
請求項１または２に記載の画像形成システム。
【請求項４】
前記制御部は、用紙の表裏を反転する反転経路を有する反転機構が装置本体から引き出された場合、前記反転機構から外部に露出する用紙を自動パージ制御に影響を与える用紙であると判断する、
請求項１から３の何れか一項に記載の画像形成システム。
【請求項５】
用紙の曲がりを補正するレジスト部を有し、
前記制御部は、前記反転機構が装置本体から引き出された際に、前記レジスト部においてループが作成されている用紙を自動パージ制御に影響を与える用紙であると判断する、
請求項４に記載の画像形成システム。
【請求項６】
前記制御部は、ジャムに起因する用紙とは異なる用紙が前記搬送経路から取り除かれた場合、前記用紙と同一のガイド部材に支持される用紙を自動パージ制御に影響を与える用紙であると判断する、
請求項１から５の何れか一項に記載の画像形成システム。
【請求項７】
前記制御部は、用紙の除去後において装置の扉が閉められた場合に、自動パージ制御に影響を与える用紙の有無を判断する、
請求項１から６の何れか一項に記載の画像形成システム。
【発明の詳細な説明】
【技術分野】
【０００１】
本発明は、画像形成システムに関する。
【背景技術】
【０００２】
画像形成システムにおいてジャムが発生した場合、ジャム発生の起因紙より下流側に搬送中の用紙はそのまま有効紙として排出し、ジャム発生の起因紙より上流側に搬送中の用紙を再搬送可能な位置に一時的に停止させ、ユーザーによりジャム起因紙が除去された後に停止させた用紙を再搬送、排出させる技術、いわゆるパージ（自動パージ制御）という技術が知られている。
【０００３】
例えば、特許文献１には、装置内でペーパージャムが発生した場合に、装置を停止しジャム紙の位置を第１の表示手段で表示し、当該ジャム紙が除去された事を検知すると総ての残紙位置を第２の表示手段で表示する画像形成装置が記載されている。特許文献２には、ジャム発生時に定着手段のニップ部に記録材が挟持されている可能性がある場合には、ジャム処理後プリント再開前に、定着手段のニップ部に 画像未形成の記録材を通紙する画像形成装置が記載されている。特許文献３には、装置内に残留する記録媒体を正規の排出位置やジャム処理位置に搬送した後にジャムが生じたことを報知する画像形成装置が記載されている。
【先行技術文献】
【特許文献】
【０００４】
【特許文献１】特開２００８−２６８３７５号公報
【特許文献２】特開２００３−０９８８８８号公報
【特許文献３】特開２００８−２６８３７５号公報
【発明の概要】
【発明が解決しようとする課題】
【０００５】
しかしながら、特許文献１〜３等に記載の従来における画像形成装置では、以下のような問題があった。すなわち、ユーザーが、ジャム処理後であって自動パージ制御前に、ジャムで取り除く対象用紙（起因紙）とは異なる自動パージ可能な用紙を誤って操作（抜き取り、移動）してしまう場合がある。このような場合、操作した用紙の周辺に残留している自動パージ対象用紙に対して影響を及ぼす場合があり、自動パージを予定通りに実施できない可能性が高い。そのため、従来では、自動パージの制御を禁止し、搬送経路に残留する用紙をユーザーが手動で取り除く制御を実施している。
【０００６】
そこで、本発明は、上記課題に鑑みてなされたものであり、その目的は、ジャム処理後に自動パージ対象用紙に対して誤操作が行われた場合でも、自動パージ制御を行うことが可能な画像形成システムを提供する。
【課題を解決するための手段】
【０００７】
本発明に係る画像形成システムは、用紙に画像を形成する画像形成システムであって、搬送経路を有し、用紙を当該搬送経路に沿って搬送する搬送部と、前記搬送経路において用紙のジャムの発生の有無を検出する検出部と、前記検出部により用紙のジャムの発生が検出された場合、用紙の搬送を一時的に停止し、ジャムの発生に起因する用紙が取り除かれた後、前記搬送経路に残留する用紙を外部へ排出する自動パージ制御を実施する制御部と、を備え、前記制御部は、自動パージ制御が実施される前に、当該自動パージ制御に影響を与える用紙があると判断した場合、当該用紙をユーザーに報知するものである。
本発明において、自動パージ制御に影響を与えるとは、自動パージ制御の実行時に再びジャムが発生したり、機械の動作が停止したりする場合等が挙げられる。
【発明の効果】
【０００８】
本発明によれば、自動パージ制御が実施される前に、自動パージ制御に影響を及ぼす用紙をユーザーに予め報知するので、自動パージ制御の実施中に２次的なジャムの発生等を防止することができる。
【図面の簡単な説明】
【０００９】
【図１】本発明の一実施の形態に係る画像形成システムの構成例を示す図である。
【図２】画像形成システムの機能構成の一例を示すブロック図である。
【図３】第１の自動パージ制御を説明するための図である。
【図４】第２の自動パージ制御を説明するための図である。
【図５】第３の自動パージ制御を説明するための図である。
【図６】ジャム発生時における画像形成システムの動作例を示すフローチャートである。
【図７】ユーザーの誤操作により自動パージ制御が不可能となった用紙を特定するためのサブルーチンである。
【発明を実施するための形態】
【００１０】
以下に添付図面を参照しながら、本発明の好適な実施の形態について詳細に説明する。なお、図面の寸法比率は、説明の都合上拡張されており、実際の比率と異なる場合がある。
【００１１】
［画像形成システム１００の構成例］  
図１は、本発明の一実施の形態に係る画像形成システム１００の構成の一例を示している。図１に示すように、画像形成システム１００は、大容量給紙装置２００，３００と、画像形成装置４００と、後処理装置５００とを備えている。大容量給紙装置２００，３００、画像形成装置４００および後処理装置５００は、この順で、用紙搬送方向Ｄに沿って接続されている。なお、この画像形成システム１００における各装置の接続は一例であって、この接続構成に限定されるものではない。
【００１２】
大容量給紙装置２００は、所定サイズの用紙Ｐを収容するための複数の給紙トレイ２１０，２２０，２３０を有している。各給紙トレイ２１０，２２０，２３０には、用紙Ｐを一枚ずつ浮上させる送風部や、送風部により浮上した用紙Ｐを吸着して搬送する吸着部が設けられている。各給紙トレイ２１０，２２０，２３０から取り出された用紙Ｐは、搬送ローラー２６２，２６４，２６６等により大容量給紙装置３００を経由して画像形成装置４００に搬送される。
【００１３】
大容量給紙装置３００は、上述した大容量給紙装置２００と同様の構成であり、所定サイズの用紙Ｐを収容するための複数の給紙トレイ３１０，３２０，３３０を有している。各給紙トレイ３１０，３２０，３３０には、用紙Ｐを一枚ずつ浮上させる送風部や、送風部により浮上した用紙Ｐを吸着して搬送する吸着部が設けられている。各給紙トレイ３１０，３２０，３３０から取り出された用紙Ｐは、搬送ローラー３６２，３６４，３６６等により画像形成装置４００に搬送される。
【００１４】
大容量給紙装置３００の給紙トレイ３１０と給紙トレイ３２０との間には、大容量給紙装置２００から搬送される用紙Ｐを画像形成装置４００に搬送するための搬送経路Ｒ１が設けられている。搬送経路Ｒ１には、用紙Ｐを搬送するための複数の搬送ローラー３９０，３９２，３９４が設けられている。複数の搬送ローラー３９０，３９２，３９４は、同一の駆動源であって、同一の駆動モータにより回転駆動される。
【００１５】
画像形成装置４００は、カラー電子写真複写機であり、操作表示部４１０と画像形成部４２０とレジスト部４３０と定着部４４０とＡＤＵ(Auto Duplex Unit)架台ユニット４４２と搬送経路Ｒ２とを有している。
【００１６】
操作表示部４１０は、表示部と入力部とが組み合わされたタッチパネルと、タッチパネルの周辺部に設けられたスタートキーや決定キー等を含む操作キーとから構成されている。操作表示部４１０は、操作画面やジャムの起因となる用紙Ｐの位置等を表示したり、操作画面等でのタッチ操作や操作キーの操作により入力された画像形成条件等の各種情報を受け付けたりする。
【００１７】
レジスト部４３０は、例えば、レジストローラーや、レジストローラーに用紙Ｐを搬送するループローラー等を有している。大容量給紙装置２００等から搬送された用紙Ｐは、ループローラー対によってその先端部がレジストローラーに突き当てられることでループが作成され、用紙Ｐの用紙搬送方向Ｄに対する曲りが補正される。用紙Ｐの曲がりが補正された用紙Ｐは、所定のタイミングで二次転写部４２６に搬送される。
【００１８】
画像形成部４２０は、イエローの画像形成部４２２Ｙと、マゼンダの画像形成部４２２Ｍと、シアンの画像形成部４２２Ｃと、ブラックの画像形成部４２２Ｋと、中間転写ベルト４２４と、二次転写部４２６とを有している。各色の画像形成部４２２Ｙ，４２２Ｍ，４２２Ｃ，４２２Ｋは、帯電部、露光部、現像部、感光体ドラム等を有している。なお、帯電部等については、公知の技術を採用することができるため、詳細な説明は省略する。
【００１９】
画像形成部４２２Ｙ，４２２Ｍ，４２２Ｃ，４２２Ｋにより形成された各色のトナー像は、中間転写ベルト４２４の画像形成位置に重ね合わせて転写される。二次転写部４２６では、大容量給紙装置２００等から搬送される用紙Ｐの表面に、中間転写ベルト４２４上の各色のトナー像が一括転写される。
【００２０】
定着部４４０は、例えば定着ローラーや加圧ローラー、定着ベルト等を有している。定着部４４０は、二次転写部４２６によりトナー像が転写された用紙Ｐに加熱、加圧処理を行うことによりトナー像を用紙Ｐの表面に定着させる。
【００２１】
ＡＤＵ架台ユニット４４２は、装置本体の正面方向および背面方向（用紙搬送方向Ｄに直交する方向）にスライド可能であり、装置本体に対して挿脱可能に構成されている。ＡＤＵ架台ユニット４４２は、用紙反転経路Ｒ３を有している。用紙反転経路Ｒ３は、定着処理された用紙Ｐをスイッチバック搬送することにより、用紙Ｐを表裏反転させた状態で二次転写部４２６に再給紙する。例えば、ＡＤＵ架台ユニット４４２は、用紙反転経路Ｒ３においてジャムが発生した場合に、装置本体から引き出され、ジャムの起因となった用紙Ｐの取り出し作業が実施される。
【００２２】
後処理装置５００は、ステープル処理や折り処理、パンチ処理等の後処理を行う装置であり、搬送経路Ｒ４，Ｒ５と排紙トレイ５１０とサブ排紙トレイ５２０とを有している。排紙トレイ５１０は、搬送経路Ｒ４の下流側に設けられ、画像形成装置４００で画像が形成された用紙Ｐを載置する。サブ排紙トレイ５２０は、搬送経路Ｒ５の下流側に設けられ、画像形成装置４００で画像が形成された用紙Ｐやジャム等で自動パージ制御の対象となった用紙Ｐを載置する。
【００２３】
［画像形成システム１００のブロック構成例］  
図２は、本発明の一実施の形態に係る画像形成システム１００の機能構成の一例を示すブロック図である。図２に示すように、画像形成システム１００は、大容量給紙装置２００，３００と、画像形成装置４００と、後処理装置５００とを備えている。なお、大容量給紙装置２００，３００は、それぞれ同一の構成、機能を有するため、以下では、代表して大容量給紙装置３００についてのみ説明する。
【００２４】
大容量給紙装置３００は、ＣＰＵ(Central Processing Unit)やＲＯＭ(Read Only Memory)等を含み、大容量給紙装置２００の各部の動作を制御する制御部３５０を有している。制御部３５０は、例えばサブ制御部として機能し、他の画像形成装置４００の制御部４５０等と連動して用紙Ｐの搬送制御を実行する。
【００２５】
制御部３５０には、給紙トレイ３１０等と、搬送部３６０と、ジャム検出センサ３７０と、通信部３８０とがそれぞれ接続されている。
【００２６】
搬送部３６０は、例えば搬送ローラー３６２，３６４，３６６等やこれらを駆動する回転駆動モータ等から構成されている。搬送部２６０の駆動モータは、制御部２５０からの指示に基づいて駆動し、搬送ローラー３６２，３６４，３６６を回転駆動させることにより用紙Ｐを用紙搬送方向Ｄに沿って搬送する。
【００２７】
ジャム検出センサ２７０は、例えば反射型や透過型の光センサから構成され、搬送経路Ｒ１上に複数設けられている。ジャム検出センサ２７０は、所定の時間が経過しても用紙Ｐが検出位置に到達、通過しない場合のジャムや、所定の時間を経過しても用紙Ｐが検出位置に停止している場合のジャムを検出し、これらのジャムの検出結果を制御部３５０に供給する。
【００２８】
通信部３８０は、大容量給紙装置２００や画像形成装置４００の通信部４８０と接続され、これらの装置との間で画像形成処理に関するデータや信号の通信を行う。
【００２９】
画像形成装置４００は、ＣＰＵやＲＯＭ等を含み、画像形成装置４００の各部の動作を制御する制御部４５０を有している。制御部４５０は、例えばメイン制御部として機能し、他の大容量給紙装置３００の制御部３５０や後処理装置５００の制御部５５０と連動して画像形成処理を行う。
【００３０】
制御部４５０には、操作表示部４１０、画像形成部４２０、定着部４４０、搬送部４６０、ジャム検出センサ４７０および通信部４８０のそれぞれが接続されている。
【００３１】
制御部４５０は、ＣＰＵやＲＯＭ等を含み、画像形成装置４００の各部の動作を制御する。制御部４５０は、例えばメイン制御部として機能し、他の大容量給紙装置３００の制御部３５０や後処理装置５００の制御部５５０と連動して画像形成処理を行う。
【００３２】
ジャム検出センサ４７０は、例えば反射型や透過型の光センサから構成され、搬送経路Ｒ２や用紙反転経路Ｒ３上に複数設けられている。ジャム検出センサ４７０は、所定の時間が経過しても用紙Ｐが検出位置に到達、通過しない場合のジャムや、所定の時間を経過しても用紙Ｐが検出位置に停止している場合のジャムを検出し、これらのジャムの検出結果を制御部４５０に供給する。
【００３３】
通信部４８０は、大容量給紙装置３００の通信部３８０や後処理装置５００の通信部５８０と接続され、これらの装置との間で画像形成処理に関するデータや信号の通信を行う。
【００３４】
後処理装置５００は、ＣＰＵやＲＯＭ等を含み、画像形成装置４００の各部の動作を制御する制御部５５０を有している。制御部５５０は、例えばサブ制御部として機能し、他の大容量給紙装置３００の制御部３５０や画像形成装置４００の制御部４５０と連動して画像形成処理を行う。
【００３５】
制御部５５０には、搬送部５６０、ジャム検出センサ５７０、および通信部５８０のそれぞれが接続されている。
【００３６】
搬送部５６０は、例えば搬送ローラーやこれを駆動する駆動モータ等から構成されている。搬送部５６０の駆動モータは、制御部５５０からの指示に基づいて駆動し、搬送ローラーを回転駆動させることにより用紙Ｐを用紙搬送方向Ｄに沿って搬送する。
【００３７】
ジャム検出センサ５７０は、例えば反射型や透過型の光センサから構成され、搬送経路Ｒ４，Ｒ５上に複数設けられている。ジャム検出センサ５７０は、所定の時間が経過しても用紙Ｐが検出位置に到達、通過しない場合のジャムや、所定の時間を経過しても用紙Ｐが検出位置に停止している場合のジャムを検出し、ジャムの検出結果を制御部５５０に供給する。
【００３８】
通信部５８０は、画像形成装置４００の通信部４８０に接続され、この装置等との間で画像形成処理に関するデータや信号の通信を行う。
【００３９】
［第１の自動パージ制御について］  
図３Ａ〜図３Ｄは、ユーザーがジャムに起因する用紙Ｐ以外の他の用紙をジャム処理してしまった場合における、第１の自動パージ制御の一例を説明するための図である。
【００４０】
図３Ａに示すように、ジョブの開始後に後処理装置５００にある用紙Ｐ２でジャムが発生した場合、ジャムに起因する用紙Ｐ２の停止位置を操作表示部４１０の画面上に表示させる。また、制御部４５０は、各装置の搬送経路で停止している他の用紙Ｐ３〜Ｐ９のそれぞれを自動パージ制御を実施することが可能な位置まで搬送する。ジャム発生位置よりも下流側に位置する用紙Ｐ１は、有効紙として排紙トレイ５１０上に排紙される。
【００４１】
ユーザーは、操作表示部４１０の画面に表示されるガイド内容に応じて、図３Ｂに示すように、ジャムに起因する用紙Ｐ２の取り出し作業を実施する。また、この例では、ユーザーは、誤操作により、用紙Ｐ２の他にさらに自動パージ制御の予定紙である用紙Ｐ７の取り出し作業も実施してしまう。これにより、用紙Ｐ７を挟持している搬送ローラー３９４が回転し、この搬送ローラー３９４とベルトで繋がる駆動モータも同時に回転する。搬送ローラー３９０，３９２，３９４は、同一駆動源であるため、搬送ローラー３９４の回転に伴って搬送ローラー３９０，３９２も連動して回転する。
【００４２】
この場合、制御部４５０は、搬送ローラー３９０に挟持される用紙Ｐ８が停止位置から移動したり曲がりが発生したりする可能性があると判断し、新たに用紙Ｐ８を自動パージ制御が不可能な用紙と判断する。つまり、用紙Ｐ７，Ｐ８を予定の自動パージ制御の対象紙群から外し、他の用紙Ｐ３〜Ｐ６，Ｐ９を引き続き自動パージ制御の対象紙とする。制御部４５０は、用紙Ｐ７，Ｐ８を自動パージ制御の対象から外すと、図３Ｃに示すように、自動パージ制御の対象外となった用紙Ｐ８の停止位置を操作表示部４１０の画面上に表示させる。
【００４３】
ユーザーは、図３Ｄに示すように、操作表示部４１０の画面に表示されるガイド内容に応じて、大容量給紙装置３００から用紙Ｐ８の取り出し作業を実施する。制御部４５０は、用紙Ｐ８が大容量給紙装置３００から取り除かれると、自動パージ制御が実施できる状態に移行したと判断する。各装置の搬送経路に停止している用紙Ｐ３〜Ｐ６，Ｐ９は、サブ排紙トレイ５２０上に排紙される。
【００４４】
［第２の自動パージ制御について］  
図４Ａ〜図４Ｄは、ユーザーがジャムに起因する用紙Ｐ以外の他の用紙をジャム処理してしまった場合における、第２の自動パージ制御の一例を説明するための図である。
【００４５】
図４Ａに示すように、ジョブの開始後に後処理装置５００の用紙Ｐ２でジャムが発生した場合、ジャムに起因する用紙Ｐ２の停止位置を操作表示部４１０の画面上に表示させる。また、制御部４５０は、各装置の搬送経路で停止している他の用紙Ｐ３〜Ｐ９を、自動パージ制御を実施することが可能な停止位置まで搬送する。ジャム発生位置よりも下流側に位置する用紙Ｐ１は、有効紙として排紙トレイ５１０上に排紙される。
【００４６】
ユーザーは、操作表示部４１０の画面に表示されるガイド内容に応じて、図４Ｂに示すように、ジャムに起因する用紙Ｐ２の取り出し作業を実施する。また、この例では、ユーザーは、誤操作により、ＡＤＵ架台ユニット４４２の引き出し作業も実施してしまう。これにより、用紙Ｐ３，Ｐ４はＡＤＵ架台ユニット４４２の外部側に露出する露出部にあるため、ユーザーが視認できる状態となり、ユーザーの接触動作等により用紙Ｐ３，Ｐ４の位置ずれが生じる場合がある。また、ＡＤＵ架台ユニット４４２の挿脱動作によっても、用紙Ｐ４の位置ずれが生じる場合がある。さらに、用紙Ｐ３がレジスト部４３０のレジストローラーに挟持された状態で停止している場合、ＡＤＵ架台ユニット４４２の挿脱動作により、用紙Ｐ３がダメージを受けてしまうことも想定される。
【００４７】
これらの場合、制御部４５０は、新たに用紙Ｐ３，Ｐ４を自動パージ制御することが不可能であると判断する。つまり、用紙Ｐ３，Ｐ４を予定の自動パージ制御の対象紙群から外し、他の用紙Ｐ１等を引き続き自動パージ制御の対象紙とする。制御部４５０は、用紙Ｐ３，Ｐ４を自動パージ制御の対象から外すと、図４Ｃに示すように、自動パージ制御の対象外となった用紙Ｐ３，Ｐ４の停止位置を操作表示部４１０の画面上に表示させる。
【００４８】
ユーザーは、図４Ｄに示すように、操作表示部４１０の画面に表示されるガイド内容に応じて、画像形成装置４００から用紙Ｐ３、Ｐ４の取り出し作業を実施する。制御部４５０は、用紙Ｐ３，Ｐ４が画像形成装置４００から取り除かれると、自動パージ制御が実施できる状態に移行したと判断する。各装置の搬送経路に停止している用紙Ｐ５〜Ｐ９は、サブ排紙トレイ５２０上に排紙される。
【００４９】
［第３の自動パージ制御について］  
図５Ａ〜図５Ｄは、ユーザーがジャムに起因する用紙Ｐ以外の他の用紙をジャム処理してしまった場合における、第３の自動パージ制御の一例を説明するための図である。
【００５０】
図５Ａに示すように、ジョブの開始後に後処理装置５００の用紙Ｐ２でジャムが発生した場合、ジャムに起因する用紙Ｐ２の停止位置を操作表示部４１０の画面上に表示させる。また、制御部４５０は、各装置の搬送経路で停止している他の用紙Ｐ３〜Ｐ９を、自動パージ制御を実施することが可能な停止位置まで搬送する。ジャム発生位置よりも下流側に位置する用紙Ｐ１は、有効紙として排紙トレイ５１０上に排紙される。
【００５１】
ユーザーは、操作表示部４１０の画面に表示されるガイド内容に応じて、図５Ｂに示すように、ジャムに起因する用紙Ｐ２の取り出し作業を実施する。また、この例では、ユーザーは、誤操作により、大容量給紙装置３００の搬送経路Ｒ１の用紙Ｐ７の取り出し作業も実施してしまう。この場合、用紙Ｐ７と同一のガイド板３０２に残留している用紙Ｐ８も、ガイド板３０２の開閉動作に応じて重力等の影響を受け、搬送経路Ｒ１での停止位置から移動することが想定される。
【００５２】
制御部４５０は、用紙Ｐ７と同一のガイド板３０２に支持される用紙Ｐ８の位置ずれ等が発生する可能性があると判断し、新たに用紙Ｐ８を自動パージ制御を実施することが不可能であると判断する。つまり、用紙Ｐ８を予定の自動パージ制御の対象紙群から外し、他の用紙Ｐ３〜Ｐ６，Ｐ９を引き続き自動パージ制御の対象紙とする。制御部４５０は、用紙Ｐ８を自動パージ制御の対象から外すと、図５Ｃに示すように、自動パージ制御の対象外となった用紙Ｐ８の停止位置を操作表示部４１０の画面上に表示させる。
【００５３】
ユーザーは、操作表示部４１０の画面に表示されるガイド内容に応じて、図５Ｄに示すように、大容量給紙装置３００から用紙Ｐ８の取り出し作業を実施する。制御部４５０は、用紙Ｐ８が大容量給紙装置３００から取り除かれると、自動パージ制御が実施できる状態に移行したと判断する。各装置の搬送経路に停止している用紙Ｐ３〜Ｐ６，Ｐ９は、サブ排紙トレイ５２０上に排紙される。
【００５４】
［画像形成システム１００の動作例］  
図６は、ジャムが発生した場合における画像形成システム１００の動作の一例を示すフローチャートである。以下では、画像形成装置４００の制御部４５０がメインとなり、他の大容量給紙装置２００の制御部２５０、大容量給紙装置３００の制御部３５０および後処理装置５００の制御部５５０と連動しながら、画像形成システム１００全体の動作を制御する場合について説明する。もちろん、他の画像形成装置４００の制御部４５０以外の制御部がメインとなって制御を行っても良い。
【００５５】
図６に示すように、ステップＳ１００において、制御部４５０は、ジョブの開始後に、ジャムが発生したか否かを判断する。制御部４５０は、各装置の搬送経路に設置されたジャム検出センサ４７０等からの出力に基づいて各装置でジャムが発生したか否かを判断する。制御部４５０は、ジャムが発生していないと判断した場合、ステップＳ２５０に進む。
【００５６】
ステップＳ２５０において、制御部４５０は、ジャムが発生していないので、ジョブを継続して実施する。
【００５７】
一方、ステップＳ１００において、制御部４５０は、ジャムが発生していると判断した場合、ステップＳ１１０に進む。
【００５８】
ステップＳ１１０において、制御部４５０は、自動パージ制御を実施することが可能であるか否かを判断する。例えば、制御部４５０は、ジャム発生時における各搬送経路に滞留している用紙Ｐの枚数と、自動パージ制御用の退避位置の数とを比較する。制御部４５０は、自動パージ制御用の退避位置の数の方が多い場合、自動パージ制御を実施することが可能であると判断し、ステップＳ１２０に進む。
【００５９】
ステップＳ１２０において、制御部４５０は、ジャムが発生した用紙Ｐを特定し、特定した用紙Ｐの停止位置を操作表示部４１０の画面上に表示させる。ステップＳ１２０が終了したら、ステップＳ１３０に進む。
【００６０】
ステップＳ１３０において、操作表示部４１０の画面に表示される案内に従って、ジャムが発生した装置の扉の開かれた後、ジャムの原因となった用紙Ｐのジャム処理がユーザーにより実施される。ステップＳ１３０が終了したら、ステップＳ１４０に進む。
【００６１】
ステップＳ１４０において、制御部４５０は、自動パージ制御の実施の前に、他の異常が発生したか否かを判断する。例えば、他の異常としては、上述したように、ジャムに起因する用紙Ｐ以外の箇所の用紙Ｐがユーザーにより取り除かれた場合や、ＡＤＵ架台ユニット４４２が引き出された場合等が挙げられる。
【００６２】
制御部４５０は、自動パージ制御の実施の前に他の異常が発生していないと判断した場合、ステップＳ１５０に進む。ステップＳ１５０において、制御部４５０は、ジャム処理後に装置の扉が閉じられると、自動パージ制御を実施する。
【００６３】
一方、ステップＳ１４０において、制御部４５０は、自動パージ制御の実施の前に他の異常が発生していると判断した場合、ステップＳ１６０に進む。
【００６４】
ステップＳ１６０において、制御部４５０は、自動パージ制御の実施を保留する。つまり、制御部４５０は、他の異常の原因が解消されるまで自動パージ制御の実施を停止させる。ステップＳ１６０が終了したら、ステップＳ１７０に進む。
【００６５】
ステップＳ１７０において、制御部４５０は、他の異常の原因となった用紙Ｐを特定する処理を実施する。図７は、他の異常の原因となった用紙Ｐを特定する処理を示すサブルーチンである。
【００６６】
図７に示すように、ステップＳ３００において、制御部４５０は、用紙Ｐの除去後に、ジャム処理等を行った装置の扉が閉じられたか否かを判断する。制御部４５０は、装置の扉が閉じられたと判断した場合、ステップＳ３１０に進み、装置の扉が閉じられていないと判断した場合、装置の扉が閉じられるまで待機する。
【００６７】
ステップＳ３１０において、制御部４５０は、ジャム対象用紙以外の用紙Ｐが誤って取り除かれた場合であって、その用紙Ｐの搬送ローラーと同一駆動源の搬送ローラーに用紙Ｐが挟持されているか否かを判断する。制御部４５０は、同一駆動源の搬送ローラーに用紙Ｐが挟持されていないと判断した場合、ステップＳ３３０に進む。
【００６８】
一方、制御部４５０は、同一駆動源の搬送ローラーに用紙Ｐが挟持されていると判断した場合、ステップＳ３２０に進む。ステップＳ３２０において、制御部４５０は、同一駆動源の搬送ローラーに挟持されている用紙Ｐを、自動パージ制御が不可能な用紙Ｐであると判断する。ステップＳ３２０が終了したら、ステップＳ３３０に進む。
【００６９】
ステップＳ３３０において、制御部４５０は、ＡＤＵ架台ユニット４４２の挿抜操作が実施された場合であって、レジスト部４３０に停止した用紙Ｐがあるか否かを判断する。制御部４５０は、ＡＤＵ架台ユニット４４２の挿抜操作が実施された場合であって、レジスト部４３０に停止した用紙Ｐがないと判断した場合、ステップＳ３３０に進む。
【００７０】
一方、制御部４５０は、ＡＤＵ架台ユニット４４２の挿抜操作が実施された場合であって、レジスト部４３０に停止した用紙Ｐがあると判断した場合、ステップＳ３４０に進む。ステップＳ３４０において、制御部４５０は、レジスト部４３０に停止した用紙Ｐを自動パージ制御が不可能な用紙Ｐであると判断する。ステップＳ３４０が終了したら、ステップＳ３５０に進む。
【００７１】
ステップＳ３５０において、制御部４５０は、ＡＤＵ架台ユニット４４２の挿抜操作が行われた際において誤って取り除かれた用紙Ｐの近傍にユーザーの目に留まる用紙Ｐがあるか否かを判断する。制御部４５０は、誤って取り除かれた用紙Ｐの近傍にユーザーの目に留まる用紙Ｐがないと判断した場合、ステップＳ３７０に進む。
【００７２】
一方、制御部４５０は、誤って取り除かれた用紙Ｐの近傍にユーザーの目に留まる用紙Ｐがあると判断した場合、ステップＳ３６０に進む。ステップＳ３６０において、制御部４５０は、誤って取り除かれた用紙Ｐの近傍にあるユーザーの目に留まる用紙Ｐを自動パージ制御が不可能な用紙Ｐであると判断する。ステップＳ３６０が終了したら、ステップＳ３７０に進む。
【００７３】
ステップＳ３７０において、制御部４５０は、ジャム対象用紙以外の用紙Ｐが誤って取り除かれた場合であって、その用紙Ｐと同一のガイド板３０２に収納（支持）されている用紙Ｐがあるか否かを判断する。制御部４５０は、ジャム対象用紙以外の用紙Ｐと同一のガイド板３０２に収納されている用紙Ｐがないと判断した場合、サブルーチンの処理を終了して図６のステップＳ１８０に進む。
【００７４】
一方、制御部４５０は、ジャム対象用紙以外の用紙Ｐ同一のガイド板３０２に収納されている用紙Ｐがあると判断した場合、ステップＳ３８０に進む。ステップＳ３８０において、制御部４５０は、ジャム対象用紙以外の用紙Ｐ同一のガイド板３０２に収納されている用紙Ｐを、自動パージ制御が不可能な用紙Ｐであると判断する。ステップＳ３８０が終了したら、サブルーチンを図６のステップＳ１８０に進む。
【００７５】
図６に戻り、ステップＳ１８０において、制御部４５０は、特定した用紙Ｐの搬送経路上の位置を、操作表示部４１０の画面上に表示させる。ステップＳ１８０が終了したら、ステップＳ１９０に進む。
【００７６】
ステップＳ１９０において、操作表示部４１０に表示された画面の案内に基づいて、用紙Ｐの除去処理がユーザーにより実施される。ステップＳ１９０が終了したら、ステップＳ２００に進む。
【００７７】
ステップＳ２００において、制御部４５０は、操作表示部４１０の画面上に表示された用紙Ｐの除去処理が終了したか否かを判断する。制御部４５０は、用紙Ｐの除去処理が終了していないと判断した場合、用紙Ｐの除去処理が終了するまで監視、待機する。
【００７８】
一方、制御部４５０は、操作表示部４１０の画面上に表示された用紙Ｐの除去処理が終了したと判断した場合、ステップＳ２１０に進む。ステップＳ２１０において、制御部４５０は、自動パージ制御を実施する。
【００７９】
これに対し、ステップＳ１１０において、制御部４５０は、自動パージ制御が実施することが不可能であると判断した場合、ステップＳ２２０に進む。例えば、制御部４５０は、生産性の観点から線速が速く、用紙Ｐの処理枚数が多い場合、自動パージ制御用の退避位置が不足するので、自動パージ制御の実施が不可能であると判断する。
【００８０】
ステップＳ２２０において、制御部４５０は、各装置の搬送経路上に残留している全ての用紙Ｐの位置を、操作表示部４１０の画面上に表示させる。ステップＳ２２０が終了したら、ステップＳ２３０に進む。
【００８１】
ステップＳ２３０において、制御部４５０は、各装置の搬送経路上に残留している全ての用紙Ｐの除去処理がユーザーにより実施される。ステップＳ２３０が終了したら、ステップＳ２４０に進む。
【００８２】
ステップＳ２４０において、制御部４５０は、各装置の搬送経路上に残留している全ての用紙Ｐの除去処理が完了したか否かを判断する。制御部４５０は、各装置の搬送経路上に残留している全ての用紙Ｐの除去処理が完了したと判断したと判断した場合、一連の自動パージ制御（ジャム処理）を終了する。一方、制御部４５０は、各装置の搬送経路上に残留している全ての用紙Ｐの除去処理が完了していないと判断したと判断した場合、全ての用紙Ｐの除去処理が完了するまで待機、監視する。
【００８３】
以上説明したように、本実施の形態によれば、自動パージ制御の開始前に、ユーザーにより誤って取り除かれたジャム対象紙以外で自動パージ制御時にジャムや機械停止を引き起こす可能性のある用紙Ｐを特定してユーザーに通知するので、自動パージ制御中の２次ジャムの発生や、機械停止を確実に防止することができる。これにより、自動パージ制御を禁止したり、ユーザーが手動で残留紙の全てを手動で除去する作業を回避することができる。その結果、生産性の向上や、ユーザーのジャム処理時における作業負担の軽減を図ることができる。
【００８４】
なお、本発明を実施の形態を用いて説明したが、本発明の技術的範囲は、上述した実施の形態に記載の範囲には限定されることはない。本発明の趣旨を逸脱しない範囲で、上述した実施の形態に、多様な変更または改良を加えることが可能である。
【００８５】
例えば、上述した実施の形態では、自動パージ制御に影響を及ぼす用紙を画像形成装置４００の操作表示部４１０の画面上でユーザーに報知するようにしたが、これに限定されることはない。例えば、他の大容量給紙装置２００，３００や後処理装置５００に表示部を設け、この表示部の画面上で自動パージ制御に影響を与える用紙をユーザーに報知するようにしても良い。また、画像形成システム１００にネットワークを介して接続されるコンピューターや情報携帯端末等の表示部の画面上で自動パージ制御に影響を与える用紙をユーザーに報知するようにしても良い。さらに、音声等によりユーザーに報知するようにしても良い。
【００８６】
また、本明細書において示したシステム、方法、装置およびプログラムにおける動作、手順、ステップおよび段階等の各処理の実行順序は、前の処理の出力を後の処理で用いない限り、任意の順序で実現可能である。
【符号の説明】
【００８７】
１００  画像形成システム
２６２，２６４，２６６  搬送ローラー
３０２  ガイド板（ガイド部材）
３５０，４５０，５５０  制御部
３６０，３６２，３６４，３６６  搬送ローラー（搬送部）
３７０，４７０，５７０  ジャム検出センサ（検出部）
４３０  レジスト部
４４２  ＡＤＵ架台ユニット（反転機構）
４６０  搬送部
５６０  搬送部
Ｒ１，Ｒ２，Ｒ４，Ｒ５  搬送経路
Ｒ３  用紙反転経路
【図１】
2018150104.tif 000003
【図２】
2018150104.tif 000004
【図３】
2018150104.tif 000005
【図４】
2018150104.tif 000006
【図５】
2018150104.tif 000007
【図６】
2018150104.tif 000008
【図７】
2018150104.tif 000009